(57)【要約】      （修正有）【課題】運動時において巻き爪がある足指の痛みを緩和でき、巻き爪を矯正可能な巻き爪保護具を提供する。【解決手段】円筒状の嵌合部１と、嵌合部１の先端から外方に向かって弓状に延展し、鍔基部に爪出穴２２を開けた鍔２からなる。巻き爪保護具Ａの嵌合部１を足３の第一趾３１の付け根部分に嵌め込み、鍔２を指４２、４３でつまんで引き延ばし、爪出穴２２から巻き爪３２を出し、延びた状態の鍔２を足指先端３３に係止させる。【選択図】図３
0003167969.tif 000002
【実用新案登録請求の範囲】
【請求項１】
円筒状の嵌合部と、
該嵌合部の先端から外方へ向かって弓状に延展し、鍔基部に爪出穴を開けた鍔とからなり、
前記嵌合部を足指の付け根部分に嵌合し、
前記鍔を引き延ばして前記爪出穴から巻き爪を出すとともに足指先端に係止させ、この鍔で前記巻き爪の下面を支持することを特徴とするエラストマー製の巻き爪保護具。
【請求項２】
滑り止めの突起を円筒内壁に複数周設した円筒状の嵌合部と、
該嵌合部の先端から外方へ向かって弓状に延展し、鍔基部に爪出穴を開けた鍔とからなり、
前記嵌合部を足指の付け根部分に嵌合し、
前記鍔を引き延ばして前記爪出穴から巻き爪を出すとともに足指先端に係止させ、この鍔で前記巻き爪の下面を支持することを特徴とするエラストマー製の巻き爪保護具。
【請求項３】
前記鍔基部に開けた前記爪出穴は、略楕円形であり、穴縁が隆起した大径の外開口から小径の内開口に向かって傾斜が付いたすり鉢状であることを特徴とする請求項１または請求項２に記載のエラストマー製の巻き爪保護具。
【考案の詳細な説明】
【技術分野】
【０００１】
本考案は、巻き爪が有る足指に装着して衝撃を吸収する巻き爪保護具に関する。
【背景技術】
【０００２】
足指に巻き爪が有ると、立ち仕事などを行った際に、巻き爪に力が加わって足指に激痛が走るので、対策を施す必要がある。
【０００３】
特許文献１には、適度な復元力を持った小片を巻き爪の表面に貼ることによって巻き爪を徐々に正常な形態にする巻き爪補正具が開示されている。
また、特許文献２には、ハート型の布製袋に、充填材と乾燥ハーブを入れることにより、足が細い先端にくいこんで巻き爪になるのを防止したつま先用クッションが開示されている。
【先行技術文献】
【特許文献】
【０００４】
【特許文献１】特開２００１−３７５３５号公報
【特許文献２】特開２００６−１９２２３８号公報
【考案の概要】
【考案が解決しようとする課題】
【０００５】
上記特許文献１は、足の指から過度に延出した巻き爪の場合には効果がなく、上記特許文献２は靴を履く時しか効果がない。
【０００６】
本考案の目的は、運動時において巻き爪がある足指の痛みを緩和でき、巻き爪を矯正可能な巻き爪保護具を提供することにある。
【課題を解決するための手段】
【０００７】
（請求項１について）
巻き爪保護具（エラストマー製）は、円筒状の嵌合部と、嵌合部の先端から外方へ向かって弓状に延展し、鍔基部に爪出穴を開けた鍔とからなる。なお、エラストマーは、ゴム状の弾力性を有する工業用材料（シリコン、樹脂素材、ゴム等）である。
この巻き爪保護具は、以下の様にして巻き爪の足指に装着する。
まず、爪出穴が上側になる様にして、円筒状の嵌合部を足指の付け根部分に嵌め込む。  つぎに、嵌合部を押えた状態で、鍔を２本の指でつまんで引き延ばして爪出穴から巻き爪を出し、延ばした鍔を足指先端に係止させる。
これにより、足指先端に係止された鍔が巻き爪の下面を支持し、巻き爪を押し上げて矯正する。
【０００８】
エラストマー製の巻き爪保護具の鍔が巻き爪の下面を支持して巻き爪を押し上げるため、ウォーキングやスポーツなどの運動時に足指に衝撃が加わっても衝撃力が鍔により吸収されるので、足指に感じる痛みが緩和される。
このため、巻き爪保護具を装着しておけば、足指に巻き爪が有っても、ウォーキングやスポーツ等が快適に楽しめる。
【０００９】
（請求項２について）
巻き爪保護具（エラストマー製）は、滑り止めの突起を円筒内壁に複数周設した円筒状の嵌合部と、嵌合部の先端から外方へ向かって弓状に延展し、鍔基部に爪出穴を開けた鍔とからなる。なお、エラストマーは、ゴム状の弾力性を有する工業用材料（シリコン、樹脂素材、ゴム等）である。
【００１０】
この巻き爪保護具は、以下の様にして巻き爪の足指に装着する。
まず、爪出穴が上側になる様にして、円筒状の嵌合部を足指の付け根部分に嵌め込む。  つぎに、嵌合部を押えた状態で、鍔を２本の指でつまんで引き延ばして爪出穴から巻き爪を出し、延ばした鍔を足指先端に係止させる。
これにより、足指先端に係止された鍔が巻き爪の下面を支持し、巻き爪を押し上げて矯正する。
【００１１】
エラストマー製の巻き爪保護具の鍔が巻き爪の下面を支持して巻き爪を押し上げるため、ウォーキングやスポーツなどの運動時に足指に衝撃が加わっても衝撃力が鍔により吸収されるので、足指に感じる痛みが緩和される。このため、巻き爪保護具を装着しておけば、足指に巻き爪が有っても、ウォーキングやスポーツ等が快適に楽しめる。
嵌合部の円筒内壁に滑り止めの突起を複数周設しているので、足指の付け根部分から嵌合部が抜けるのを防止できる。
【００１２】
（請求項３について）
鍔基部に開けた爪出穴は、略楕円形であり、穴縁が隆起した大径の外開口から小径の内開口に向かって傾斜が付いたすり鉢状である。
鍔を延ばして足指先端に係止させると、延びた傾斜面で巻き爪の下面を支持して支持力が分散されるので装着中の違和感が少ない。
【図面の簡単な説明】
【００１３】
【図１】本発明の実施例１に係る巻き爪保護具の説明図である。
【図２】（ａ）は本発明の実施例１に係る巻き爪保護具の上面図、（ｂ）はその巻き爪保護具の正面図、（ｃ）はその巻き爪保護具の右側面図、（ｄ）はその巻き爪保護具の背面図である。
【図３】（ａ）は実施例１に係る巻き爪保護具の嵌合部を足指の付け根部分に嵌め込んだ状態を示す説明図であり、（ｂ）はその巻き爪保護具の嵌合部を押えた状態で鍔を指でつまんで引き延ばす状態を示す説明図であり、（ｃ）は爪出穴から巻き爪を出し、延びた状態の鍔を足指先端に係止させた状態を示す説明図である。
【図４】（ａ）は巻き爪が有る第一趾の状態を示す説明図であり、（ｂ）は本発明の実施例１に係る巻き爪保護具を巻き爪が有る第一趾に装着した状態を示す説明図である。
【考案を実施するための形態】
【００１４】
巻き爪保護具Ａの嵌合部１を足３の第一趾３１の付け根部分に嵌め込み、鍔２を指４２、４３でつまんで引き延ばし、爪出穴２２から巻き爪３２を出し、延びた状態の鍔２を足指先端３３に係止させる。これにより、足指先端３３に係止された鍔２が巻き爪３２の下面を支持する。
このため、ウォーキングやスポーツ時に、第一趾３１に衝撃が加わっても鍔２により吸収され、巻き爪３２が足指の皮膚に食い込まないので痛みが緩和される。
【実施例１】
【００１５】
本発明の実施例１（請求項１〜３に対応）に係る、巻き爪保護具Ａを、図１〜図４に基づいて説明する。
巻き爪保護具Ａは、円筒状の嵌合部１と、鍔基部２１に爪出穴２２を開けた鍔２とからなり、スチレン系のエラストマーで形成されている。
【００１６】
嵌合部１は、内径が１７ｍｍ、外径が２１ｍｍ、長さが１５ｍｍの円筒状であり、足３の第一趾３１に嵌め込むのに好適な大きさである。
この嵌合部１の円筒内壁には、内側に突出する滑り止めリング１１（半径０．５ｍｍの半円断面）が等間隔に四箇所、周設されている。                                
【００１７】
鍔２は、嵌合部１の上部側円筒部の先端から外方へ向かって弓状に延展（最長１２ｍｍ）する曲面片である。
爪出穴２２は、小径で略楕円形の内開口２３（短径２ｍｍ、長径８ｍｍ）が鍔基部２１の鍔内周面に開口し、大径で略楕円形の外開口２４の一部が嵌合部１の先端に臨む様に鍔外周面に開口する。
この爪出穴２２は、穴縁が隆起した大径の外開口２４から小径の内開口２３に向かって傾斜が付いたすり鉢状である。
【００１８】
実施例１の巻き爪保護具Ａは、以下の様にして巻き爪３２の有る指（例えば、足の第一趾３１）に装着する。
（１）鍔２の爪出穴２２が上側になる様にして、巻き爪保護具Ａの嵌合部１を足３の第一趾３１の付け根部分に嵌め込む｛図３の（ａ）参照｝。
【００１９】
（２）嵌合部１を左手の指４１で押えた状態で、右手の指４２、４３で鍔２をつまんで引き延ばす｛図３の（ｂ）参照｝。
（３）爪出穴２２から巻き爪３２を出し、延びた状態の鍔２を第一趾３１の足指先端３３に係止させる｛図３の（ｃ）参照｝。
これにより、足指先端３３に係止された鍔２が巻き爪３２の下面を支持し、巻き爪３２を押し上げて矯正する。｛図４の（ｂ）参照｝。
【００２０】
実施例１の巻き爪保護具Ａは、以下の利点を有する、
スチレン系のエラストマー製の巻き爪保護具Ａの鍔２が巻き爪３２の下面を支持して巻き爪３２を押し上げて矯正する。
このため、ウォーキングやスポーツなどの運動時に、例えば、巻き爪３２が有る第一趾３１に衝撃が加わっても衝撃力が鍔２により吸収され、巻き爪３２が足指の皮膚に食い込まないので、第一趾３１に感じる痛みが緩和される。
【００２１】
嵌合部１の円筒内壁に、内側に突出する滑り止めリング１１を等間隔に四箇所、周設しているので、巻き爪保護具Ａの装着中に、第一趾３１の付け根部分から嵌合部１が抜けるのを防止できる。
【００２２】
巻き爪保護具Ａの鍔２の鍔基部２１に開けた爪出穴２２は、略楕円形であり、穴縁が隆起した大径の外開口２４から小径の内開口２３に向かって傾斜が付いたすり鉢状である。  このため、鍔２を延ばして第一趾３１の足指先端に係止させると、延びた傾斜面で巻き爪３２の下面を支持するので支持力が分散され、長時間装着していても違和感が少ない。  なお、嵌合部１等の寸法を、他の足指に好適な寸法に変更しても良い。
【符号の説明】
【００２３】
Ａ  巻き爪保護具
１  嵌合部
２  鍔
１１  滑り止めリング（滑り止めの突起）
２１  鍔基部
２２  爪出穴
２３  内開口
２４  外開口
３３  足指先端
【図１】
0003167969.tif 000003
【図２】
0003167969.tif 000004
【図３】
0003167969.tif 000005
【図４】
0003167969.tif 000006